(57)【要約】【課題】ファクシミリ装置において、ＴＳＩ（送信端末識別）信号の内容に応じて配信先を切り換えつつ他のファクシミリ装置に自動配信するファクシミリ装置とともに用いるのに好適な構成を提供する。【解決手段】ファクシミリ装置の設定情報記憶部１４には、配信先の名前と、送信先のファクシミリ回線番号と、その送信先から配信させる配信先を指定する識別コードと、の組合せからなる配信先情報を複数記憶可能に構成されている。また、ファクシミリ装置には、前記設定情報記憶部１４に記憶されている複数の配信先情報から配信先を選択することが可能な、短縮ボタンやワンタッチボタンを備える。短縮ボタンやワンタッチボタンで指定された配信先情報に基づき、送信先のファクシミリ回線番号にファクシミリ送信するとともに、そのときに前記識別コードをＴＳＩ（送信端末識別）信号として送信する。【選択図】図４
2008259116.tif 000002
【特許請求の範囲】
【請求項１】
送信先のファクシミリ回線番号と、その送信先から配信させる配信先を指定する配信先指定情報と、の組合せを含む配信先情報を複数記憶可能な記憶手段と、
前記記憶手段に記憶されている複数の配信先情報から配信先を選択することが可能な配信先選択手段と、
を備え、
前記配信先選択手段で選択された配信先情報に基づき、送信先のファクシミリ回線番号にファクシミリ送信するとともに、そのときに前記配信先指定情報をＴＳＩ信号として送信することを特徴とするファクシミリ装置。
【請求項２】
請求項１に記載のファクシミリ装置であって、
送信先にファクシミリ送信する際に前記送信先から受信した信号に基づいて、前記配信先指定情報をＴＳＩ信号として送信するか、送信元番号の情報をＴＳＩ信号として送信するかを切り換えることを特徴とするファクシミリ装置。
【請求項３】
請求項１又は２に記載のファクシミリ装置であって、
前記配信先選択手段で選択された配信先情報に配信先指定情報が指定されている場合は当該配信先指定情報をＴＳＩ信号として送信し、指定されていない場合は送信元番号の情報をＴＳＩ信号として送信することを特徴とするファクシミリ装置。
【発明の詳細な説明】
【技術分野】
【０００１】
本発明は、画データを配信するファクシミリ装置とともに用いるのに好適なファクシミリ装置の構成に関する。
【背景技術】
【０００２】
特許文献１は、電話回線を介して受信したファクシミリデータを、ＬＡＮに接続されているパーソナルコンピュータに自動配信するファクシミリ装置を開示する。このファクシミリ装置は、ファクシミリデータを受信したときに送信元のファクシミリ装置を識別し、識別された送信元のファクシミリ装置に対応するパーソナルコンピュータを決定して、ＬＡＮを介して当該パーソナルコンピュータに前記ファクシミリデータを送信するように構成されている。
【０００３】
特許文献１には、送信元のファクシミリ装置を識別するために、送信元装置がファクシミリデータに付加した識別情報、例えばＴＳＩ（Ｔｒａｎｓｍｉｔｔｉｎｇ  Ｓｕｂｓｃｒｉｂｅｒ  Ｉｄｅｎｔｉｆｉｃａｔｉｏｎ、送信端末識別）信号を使用することが開示されている。
【特許文献１】特開平６−２６１１６４号公報
【発明の開示】
【発明が解決しようとする課題】
【０００４】
特許文献１のファクシミリ装置の構成は、送信元のファクシミリ装置と配信先のパーソナルコンピュータとが１対１で対応付けられて記憶されている。従って、データ配信先のパーソナルコンピュータを状況に応じて切り換えたい場合、送信元側に複数のファクシミリ装置及び回線を用意しなければならず、コストアップの要因となっていた。
【０００５】
本発明は以上の事情に鑑みてされたものであり、その目的は、上記のような配信システムを使用した場合の送信元として使用するのに好適なファクシミリ装置を提供することにある。
【課題を解決するための手段及び効果】
【０００６】
本発明の解決しようとする課題は以上の如くであり、次にこの課題を解決するための手段とその効果を説明する。
【０００７】
本発明の観点によれば、以下の構成のファクシミリ装置が提供される。即ち、送信先のファクシミリ回線番号と、その送信先から配信させる配信先を指定する配信先指定情報と、の組合せを含む配信先情報を複数記憶可能な記憶手段と、前記記憶手段に記憶されている複数の配信先情報から配信先を選択することが可能な配信先選択手段と、を備える。前記配信先選択手段で選択された配信先情報に基づき、送信先のファクシミリ回線番号にファクシミリ送信するとともに、そのときに前記配信先指定情報をＴＳＩ信号として送信する。
【０００８】
この構成のファクシミリ装置は、ＴＳＩ信号の内容に応じて他のファクシミリ装置に自動配信するファクシミリ装置とともに用いるのに好適である。また、配信先選択手段を操作することによって、１台のファクシミリ装置で配信先を簡単に指定して送信することができる。
【０００９】
前記ファクシミリ装置においては、送信先にファクシミリ送信する際に前記送信先から受信した信号に基づいて、前記配信先指定情報をＴＳＩ信号として送信するか、送信元番号の情報をＴＳＩ信号として送信するかを切り換えることが好ましい。
【００１０】
この構成により、配信先指定情報のような特殊な信号をＴＳＩ信号に埋め込んだ送信に送信先が対応しているか否かを自動的に判別し、配信先指定情報の送信の有無を切り換えることができる。従って、自動配信機能を有しないファクシミリ装置に送信する場合でも、エラーを発生させることなく円滑に文書をやりとりすることができる。
【００１１】
前記ファクシミリ装置においては、前記配信先選択手段で選択された配信先情報に配信先指定情報が指定されている場合は当該配信先指定情報をＴＳＩ信号として送信し、指定されていない場合は送信元番号の情報をＴＳＩ信号として送信することが好ましい。
【００１２】
この構成により、配信先指定情報を指定しない場合は送信元番号を含むＴＳＩ信号を送信し、通常のファクシミリ送信を行うことができる。即ち、配信先を指定する場合と指定しない場合の両方で用いることができ、汎用性の高いファクシミリ装置を提供することができる。
【発明を実施するための最良の形態】
【００１３】
次に、発明の実施の形態を図面を参照して説明する。図１は本発明の一実施形態に係るファクシミリ装置の使用例を示す説明図である。
【００１４】
図１に示すように、本実施形態のファクシミリ装置７１は公衆交換電話網（ＰＳＴＮ）５１に接続され、電話回線網を通じたファクシミリ送受信を行うことができるように構成されている。図１に示す使用形態では、ファクシミリ装置７１は保険代理店（ＸＹＺ保険代理店）に設置されている。
【００１５】
このＸＹＺ保険代理店と取引関係にあるＡＢＣ火災保険会社には、配信用のファクシミリ装置７２が設置されている。このファクシミリ装置７２はＰＳＴＮ５１に接続されており、電話回線網を通じたファクシミリ送受信を行うことができるようになっている。
【００１６】
また、ＡＢＣ火災保険会社は新規契約、契約事項の変更、保険金の請求等、その担当業務ごとに部課が分かれており、それぞれの部課にファクシミリ装置７４，７５，７６が設置されている。これらのファクシミリ装置７４，７５，７６もＰＳＴＮ５１に接続されている。
【００１７】
同様に、前記ＸＹＺ保険代理店と取引関係にあるＥＦＧ生命保険会社には配信用のファクシミリ装置７３が設置されている。このファクシミリ装置７３はＰＳＴＮ５１に接続されて、電話回線網を通じたファクシミリ送受信を行うことができるように構成されている。また、このファクシミリ装置７３はＩＰ網（インターネット）５２にも接続されており、電子メール型のインターネットファクシミリを行うこともできるように構成されている。
【００１８】
ＥＦＧ生命保険会社もＡＢＣ火災保険会社と同様に、新規契約、契約事項の変更、保険金の請求等、その担当業務ごとに部課が分かれており、それぞれの部課にパーソナルコンピュータ７７，７８，７９が設置されている。これらのパーソナルコンピュータ７７，７８，７９はインターネット５２に接続されている。
【００１９】
なお、本実施形態において、少なくとも３台のファクシミリ装置７１，７２，７３は同一のメーカにより製造されている。
【００２０】
図２にファクシミリ装置７１のブロック図が示され、このファクシミリ装置７１は、原稿を読み取って画像データを得る読取部１１と、画像データを紙等の記録媒体に記録する記録部１２と、を備えている。
【００２１】
ファクシミリ装置７１は操作部１３を備えており、この操作部１３は例えば図３に示すような操作パネルとして構成される。この操作パネルは、各種情報を表示するとともに画面に触れることで各種操作が可能なタッチパネル式ディスプレイ２６や、送信先のファクシミリ回線番号を指定するためのテンキー２７や、原稿の読取り及び送信を指示する送信スタートボタン２８や、前記テンキー２７と組み合わせて送信先を簡単に指定するための短縮ボタン２９や、１回の操作で送信先を簡単に指定するためのワンタッチボタン３０等を含んで構成されている。本実施形態では、前記短縮ボタン２９とテンキー２７の組合せ、及びワンタッチボタン３０が配信先選択手段に相当する。
【００２２】
なお、上記の短縮ダイアル機能やワンタッチダイアル機能は、ファクシミリ装置７１に設定情報記憶部（記憶手段）１４を備えることで実現されている。具体的には、この設定情報記憶部１４は、ファクシミリ装置７１が備えるＲＯＭ、ＲＡＭ、ＨＤＤ、又は不揮発性メモリ等によって実現されている。
【００２３】
この設定情報記憶部１４の設定内容の一例が図４に示される。この図４の例では、短縮ダイアル１番から３番までにはＡＢＣ火災保険会社のファクシミリ回線番号（０７５−１２３−４５６７）が記憶されるとともに、その各部課に設置されているファクシミリ装置７４，７５，７６を識別するための識別コード（配信先指定情報）が記憶されている。前記識別コードは、図４の例では４桁の数値として設定されているが、この形式に限られるものではない。
【００２４】
同様に、ワンタッチダイアル１番から３番までにはＥＦＧ生命保険会社のファクシミリ回線番号（０７５−４５６−７８９０）が記憶されるとともに、その各部課に設置されているパーソナルコンピュータ７７，７８，７９を識別するための識別コードが記憶されている。
【００２５】
なお、ワンタッチダイアル４番には、他の送り先であるＨＩＪ株式会社のファクシミリ回線番号（０７５−７６５−４３２１）が記憶されている。このワンタッチダイアル４番には、識別コードは設定（記憶）されていない。
【００２６】
また、短縮ダイアルやワンタッチダイアルのそれぞれの番号には、「ＡＢＣ火災保険会社・新規」や「ＥＦＧ生命保険・変更」、「ＨＩＪ株式会社」というように、配信先ないし送信先の名前がそれぞれ設定され、記憶されている。
【００２７】
このように、ファクシミリ装置７１の設定情報記憶部１４には、送信先のファクシミリ装置７２，７３のファクシミリ回線番号と、当該ファクシミリ装置７２，７３から配信される配信先のファクシミリ装置７４，７５，７６やパーソナルコンピュータ７７，７８，７９を識別するための識別コード（拡張コード）との組合せを含む配信先情報を、短縮番号あるいはワンタッチボタン番号に関連づけて予め複数記憶させておくことが可能になっている。
【００２８】
更にファクシミリ装置７１は、図２に示すように、読取部１１で取得した画像データを保存したり一時記憶したりするための画像記憶部１６と、当該画像データを管理する画像管理部１７と、を備えている。
【００２９】
また、このファクシミリ装置７１は、ＰＳＴＮ５１へ接続するためのネットワークコントロールユニット（ＮＣＵ）２１と、音声信号とデータ列とを相互変換する変復調装置としてのＦＡＸモデム２２と、前記ＮＣＵ２１やＦＡＸモデム２２を制御するファクシミリ制御部２３と、画像データを圧縮／展開するためのコーデック部２４と、を備える。これらにより、電話回線を通じたファクシミリ機能が実現されている。なお、上記コーデック部２４においては、ＭＨ、ＭＲ、ＭＭＲ等の公知の圧縮形式で画像データを圧縮し、あるいは展開するように構成されている。
【００３０】
次に、ＡＢＣ火災保険会社及びＥＦＧ生命保険会社に設置されるファクシミリ装置７２，７３の構成を、図６を参照して説明する。このファクシミリ装置７２，７３は、前述のファクシミリ装置７１と同様に、読取部１１、記録部１２、操作部１３、ＮＣＵ２１、ＦＡＸモデム２２、ファクシミリ制御部２３、コーデック部２４、画像記憶部１６、画像管理部１７を備える。これらの各部の構成は前述のファクシミリ装置７１と同様であるので、説明は省略する。
【００３１】
また、ファクシミリ装置７２，７３は、閉域網としての構内回線網（ＬＡＮ）５３に接続するためのネットワークアダプタ（ＮＩＣ）３１を備える。更に、ファクシミリ装置７２，７３は演算手段としてのＣＰＵや、記憶手段としてのＲＯＭ、ＲＡＭ、ＨＤＤ、不揮発性メモリ等の記憶手段を備える。そして、これらの記憶手段にはプログラムが記憶されており、上記ハードウェアとソフトウェアによってＴＣＰ−ＩＰ部３２が構成され、ＴＣＰ／ＩＰプロトコルに従って他の機器との通信を行うことができるようになっている。
【００３２】
更に、ファクシミリ装置７２，７３においては、電子メール送信のための簡易電子メール転送プロトコル（ＳＭＴＰ）を実現するＳＭＴＰ部３３、電子メール受信のためのＰＯＰ３プロトコルを実現するＰＯＰ部３４等が構成されている。
【００３３】
ファクシミリ装置７２，７３においては、上記ハードウェアとソフトウェアの組み合わせによってインターネットファクシミリ制御部４０が構成されている。このインターネットファクシミリ制御部４０は、読取部１１で読み取られてＭＨ、ＭＲ、ＭＭＲ等の圧縮形式で圧縮された画像データを適宜の画像フォーマット（例えば、公知のＴＩＦＦ形式）で添付した電子メールを作成するとともに、後述のＳＭＴＰサーバ６１にＳＭＴＰクライアントとして接続し、当該電子メールを送信することができる。なお、電子メールの作成は、例えば、公知のＭＩＭＥ規格及びＢＡＳＥ６４規格に従って行えば良い。
【００３４】
また、上記インターネットファクシミリ制御部４０はＰＯＰ３クライアントとして動作し、一定時間毎にＰＯＰ部３４経由で後述のＰＯＰサーバ６０に接続するように構成されている。そして、当該ファクシミリ装置７２，７３宛ての電子メールを受信したときは、当該電子メールから画像データを取り出して展開し、記録部１２で印刷できるようになっている。
【００３５】
前記ＬＡＮ５３には図示しないＤＮＳサーバが接続されるとともに、ＰＯＰサーバ６０及びＳＭＴＰサーバ６１が接続されている。また、前記ＬＡＮ５３は、データ中継のためのルータ５６を介してインターネット５２と相互に接続されている。
【００３６】
このファクシミリ装置７２，７３は、受信したファクシミリ原稿を更に自社の各部課のファクシミリ装置７４，７５，７６又はパーソナルコンピュータ７７，７８，７９に配信する配信機能を備えている。この配信機能は、ファクシミリ装置７２，７３に配信情報記憶部１９を備えることで実現されている。
【００３７】
ＡＢＣ火災保険会社側のファクシミリ装置７２における配信情報記憶部１９の設定内容を図７に示す。この図７に示すように、配信情報記憶部１９では、送信元から受信したＴＳＩ（送信端末識別）信号と、配信先（中継先）のファクシミリ回線番号と、を対応付けてテーブル形式で記憶している。この配信テーブルに基づき、ファクシミリ装置７２は、受信したＴＳＩ信号が例えば「１１１１」だった場合には、新規契約の部課のファクシミリ装置７４（番号；０７５−１２３−１１１１）に、受信ファクシミリ原稿を自動配信するようになっている。
【００３８】
ＥＦＧ生命保険会社側のファクシミリ装置７３における配信情報記憶部１９の設定内容を図８に示す。この図８に示すように、配信情報記憶部１９では、送信元から受信したＴＳＩ信号と、配信先のメールアドレスと、を対応付けてテーブル形式で記憶している。この配信テーブルに基づき、ファクシミリ装置７３は、受信したＴＳＩ信号が例えば「５５５５」だった場合には、契約事項変更の部課のパーソナルコンピュータ７８（メールアドレス；５５５５＠ｅｆｇ．ｊｐ）に、受信ファクシミリ原稿を自動配信するようになっている。
【００３９】
以上の構成で、ＸＹＺ保険代理店のファクシミリ装置７１において短縮ボタン２９又はワンタッチボタン３０によって配信先が指定され、ファクシミリ送信操作がされる場合の制御を、図５を参照して説明する。
【００４０】
図５において、オペレータが短縮ボタン２９又はワンタッチボタン３０で送信先を指定し（Ｓ１０１）、送信スタートボタンを操作する（Ｓ１０２）。このとき、図３に示す操作部１３のタッチパネル式ディスプレイ２６には、設定情報記憶部１４の記憶内容に基づき、指定された短縮ダイアル番号又はワンタッチダイアル番号に対応する名前が表示される。これにより、ファクシミリ装置７１を操作する事務員が送信先を容易に確認できるようになっている。
【００４１】
今回は、顧客がＸＹＺ保険代理店にＡＢＣ火災保険会社の保険契約変更を依頼し、保険代理店の事務員がファクシミリ装置７１を使用し、短縮ダイアル２番（即ち、ＡＢＣ火災保険会社の契約変更部課）を指定してファクシミリ送信操作を行ったとする。すると、ファクシミリ装置７１は原稿を読取部１１で読み取って画データを作成し、画像記憶部１６に記憶する（Ｓ１０３）。
【００４２】
その後、ファクシミリ装置７１は送信先のファクシミリ回線番号に直ちにダイアルして接続する（Ｓ１０４）。図４に示すように、短縮ダイアル２番はファクシミリ回線番号が０７５−１２３−４５６７であるので、当該番号にダイアルすることになる。すると、ＡＢＣ火災保険会社のファクシミリ装置７２に着信し、ファクシミリ装置７１，７２の間で発呼トーン（ＣＮＧ信号）と被呼局確認信号（ＣＥＤ信号）とが交換される。その後、着信側のファクシミリ装置７２はＮＳＦ（Ｎｏｎ−Ｓｔａｎｄａｒｄ  Ｆａｃｉｌｉｔｉｅｓ、非標準性能）信号をダイアル元のファクシミリ装置７１へ送信する。更に、ファクシミリ装置７２は、被呼装置のファクシミリ受信能力を示すＤＩＳ（Ｄｉｇｉｔａｌ  Ｉｄｅｎｔｉｆｉｃａｔｉｏｎ  Ｓｉｇｎａｌ、デジタル識別）信号を送信する。
【００４３】
ファクシミリ装置７１は上記ＮＳＦ信号及びＤＩＳ信号を受信すると（図５のＳ１０５）、ＮＳＦ信号に含まれるベンダーコードを解析し、相手先のファクシミリ装置７２の製造元メーカが自機と同一か否かを調べる（Ｓ１０６）。自機とメーカが同一であった場合は、短縮ダイアル２番に識別コードが設定されているか否かを調べる（Ｓ１０７）。今回の場合は、識別コード「２２２２」が設定されているので、この識別信号をＴＳＩ信号として送信する（Ｓ１０８）。なおＳ１０８の処理では、ＴＳＩ信号と併せてＤＣＳ（Ｄｉｇｉｔａｌ  Ｃｏｍｍａｎｄ  Ｓｉｇｎａｌ、デジタル命令）信号を送信する。このＤＣＳ信号は、後続のファクシミリ通信の機能、能力を示す信号である。また、非標準手順（メーカ独自手順）を行う場合は、ファクシミリ装置７１はＮＳＳ（Ｎｏｎ−Ｓｔａｎｄａｒｄ  ｆａｃｉｌｉｔｉｅｓ  Ｓｅｔ−ｕｐ）信号を送信する。
【００４４】
一方、相手先のファクシミリ装置７２の製造元メーカが自機と異なっていたり、識別コードが設定されていなかった場合は、ファクシミリ装置７１は送信元側の番号（０７５−１２３−１２３４）を含んだ通常のＴＳＩ信号を送信する（Ｓ１０９）。なおＳ１０９の処理においては、ＴＳＩ信号と併せて、上記ＤＣＳ信号を送信する。
【００４５】
その後、画像記憶部１６に記憶させておいた画データを送信し（Ｓ１１０）、送信処理を終了する。受信側のファクシミリ装置７２では、受信したＴＳＩ信号が「２２２２」であるので、図７の配信テーブルに従い、０７５−１２３−２２２２のファクシミリ回線番号に自動的にダイアルして、ファクシミリ装置７１から受信した原稿を更にファクシミリ装置７５へ配信する。こうして、ファクシミリ装置７１で送信したデータが、ファクシミリ装置７２を経由して、ＡＢＣ火災保険会社の契約事項変更を担当する部課のファクシミリ装置７５で受信されることになる。
【００４６】
以上の構成により、ＸＹＺ保険代理店側では、各保険会社のファクシミリ装置７２，７３にファックスする際に、当該ファクシミリ装置７２，７３から配信させる配信先の担当部課を簡単な操作で切り換えることができる。
【００４７】
以上に説明したように、本実施形態のファクシミリ装置７１の設定情報記憶部１４（図４）は、配信先の名前と、送信先のファクシミリ回線番号と、その送信先から配信させる配信先を指定する識別コードと、の組合せからなる配信先情報を複数記憶可能に構成されている。また、ファクシミリ装置７１は、前記設定情報記憶部１４に記憶されている複数の配信先情報から配信先を選択することが可能な短縮ボタン２９やワンタッチボタン３０を備える。そして、短縮ボタン２９やワンタッチボタン３０で選択された配信先情報に基づき、送信先のファクシミリ回線番号にファクシミリ送信するとともに、そのときに前記識別コードをＴＳＩ信号として送信する（図５のＳ１０８）。
【００４８】
このファクシミリ装置７１は、図７や図８に示すような配信テーブルを有し、ＴＳＩ信号の内容に応じて他のファクシミリ装置に自動配信するファクシミリ装置７２，７３とともに用いるのに好適である。また、１台のファクシミリ装置で、短縮ボタン２９やワンタッチボタン３０で配信先（ファクシミリ装置７４，７５，７６、パーソナルコンピュータ７７，７８，７９）を簡単に指定して送信することができる。
【００４９】
また、前記ファクシミリ装置７１は、送信先にファクシミリ送信する際に前記送信先から受信したＮＳＦ信号に基づいて、前記識別コードをＴＳＩ信号として送信するか、送信元番号の情報をＴＳＩ信号として送信するかを切り換えるように構成されている（図５のＳ１０５、Ｓ１０６、Ｓ１０８、Ｓ１０９）。
【００５０】
これにより、識別コードのような特殊な信号をＴＳＩ信号に埋め込んだ送信に送信先が対応しているか否かを自動的に判別し、識別コードの送信の有無を切り換えることができる。従って、自動配信機能を有しないファクシミリ装置（例えば、単なる家庭用のファクシミリ装置）に送信する場合でも、エラーを発生させることなく円滑に文書をやりとりすることができる。
【００５１】
また、前記ファクシミリ装置７１は、前記短縮ボタン２９又はワンタッチボタン３０で選択された配信先情報に識別コードが指定されている場合は当該識別コードをＴＳＩ信号として送信し（Ｓ１０８）、指定されていない場合は送信元番号の情報をＴＳＩ信号として送信する（Ｓ１０９）ように構成されている。
【００５２】
これにより、配信先の識別コードを指定しない場合は送信元番号を含むＴＳＩ信号を送信し、通常のファクシミリ送信を行うことができる。即ち、配信先を指定する場合と指定しない場合の両方で用いることができ、汎用性の高いファクシミリ装置を提供することができる。
【００５３】
以上に本発明の好適な実施形態を説明したが、上記の構成は例えば以下のように変更することができる。
【００５４】
上記実施形態では図４に示すように、ファクシミリ装置７１の設定情報記憶部１４の配信先情報に、配信先の名前が含まれている。しかしながらこれに限らず、配信先情報において配信先の名前を省略し、ファクシミリ回線番号と識別コードの組合せだけとしても良い。
【００５５】
図５のＳ１０６の処理に代えて、送信先のファクシミリ装置から送信されてくるＣＳＩ（Ｃａｌｌｅｄ  Ｓｕｂｓｃｒｉｂｅｒ  Ｉｄｅｎｔｉｆｉｃａｔｉｏｎ、被呼端末識別）信号に含まれる相手先の番号が、予めファクシミリ装置７１に登録してある番号と一致した場合にのみ、識別コードをＴＳＩ信号として送信し、一致しない場合は送信元番号の情報をＴＳＩ信号として送信するように構成しても良い。
【００５６】
配信先情報を選択する手段としては、短縮ボタン２９やワンタッチボタン３０に限定されず、例えばタッチパネル式ディスプレイ２６の画面に配信先情報の一覧を表示し、当該ディスプレイに手で触れることで配信先を選択するように構成することもできる。この場合、タッチパネル式ディスプレイ２６が配信先選択手段に該当する。
【００５７】
図１で説明したファクシミリ装置７１〜７６は、ファクシミリ送受信機能以外に、例えばコピー機能やスキャナ機能、プリンタ機能等を備えた多機能周辺装置（Ｍｕｌｔｉ  Ｆｕｎｃｔｉｏｎ  Ｐｅｒｉｐｈｅｒａｌ）として構成することができる。
【００５８】
自動配信を行うファクシミリ装置７２，７３は、電話回線網を介したファクシミリ機能のみ、又は、電子メール型のインターネットファクシミリ機能のみを備える構成に変更することができる。また、ファクシミリサーバとして構成することもできる。
【００５９】
ファクシミリ装置７１は、保険代理店の場合に限らず、取引先がファクシミリ自動配信ネットワークを備えている場合であれば広く使用することができる。例えば、旅行代理店、不動産業者等の様々な業種で使用することが考えられる。
【図面の簡単な説明】
【００６０】
【図１】本発明の一実施形態に係るファクシミリ装置の使用例を示す模式図。
【図２】本実施形態のファクシミリ装置のブロック図。
【図３】ファクシミリ装置の操作部を示す要部説明図。
【図４】ファクシミリ装置の設定情報記憶部の記憶内容の例を示す説明図。
【図５】ファクシミリ送信時の装置の動作を示すフローチャート図。
【図６】本実施形態のファクシミリ装置から受信したファクシミリを他のファクシミリに配信するファクシミリ装置のブロック図。
【図７】ファクシミリ装置の配信情報記憶部の記憶内容の例を示す説明図。
【図８】ファクシミリ装置の配信情報記憶部の記憶内容の他の例を示す説明図。
【符号の説明】
【００６１】
１４  設定情報記憶部（記憶手段）
２９  短縮ボタン（配信先選択手段）
３０  ワンタッチボタン（配信先選択手段）
７１  ファクシミリ装置
【図１】
2008259116.tif 000003
【図２】
2008259116.tif 000004
【図３】
2008259116.tif 000005
【図４】
2008259116.tif 000006
【図５】
2008259116.tif 000007
【図６】
2008259116.tif 000008
【図７】
2008259116.tif 000009
【図８】
2008259116.tif 000010